(57)【要約】【課題】紙幣識別機の紙幣搬送路から紙幣が引き抜かれることを防止する紙幣引き抜き防止機構の小型、コンパクト化を図ること。【解決手段】紙幣識別機１の紙幣搬送路１０は紙幣引き抜き防止機構４０のシャッタ４２によって封鎖状態および開放状態に切り換わる。紙幣引き抜き防止機構４０はソレノイド４１と、この作動ロッド４９に直結されているシャッタ４２を備えている。ソレノイド４１が励磁されると、シャッタ４２は本体側ガイド板部分４３の裏面の回動支点４４を中心として回動して、シャッタ片４６ａ〜４６ｄによって封鎖されている紙幣搬送路１０が開放状態に切り換わる。ソレノイド４１とシャッタ４２の間を連結するリンク機構が不要となり、ソレノイド４１が本体側ガイド板部分４３の裏面側の空きスペースを有効利用して配置されているので、小型でコンパクトな紙幣引き抜き防止機構を実現でき、紙幣識別機１の小型化に有利である。【選択図】図５
2009042958.tif 000002
【特許請求の範囲】
【請求項１】
紙葉類識別機の搬送路から紙葉類が引き抜かれることを防止するための紙葉類引き抜き防止機構において、
前記搬送路を遮断するためのシャッタと、
このシャッタを駆動するためのソレノイドとを有し、
前記シャッタは、前記ソレノイドの作動ロッドに直結されていることを特徴とする紙葉類識別機の紙葉類引き抜き防止機構。
【請求項２】
請求項１に記載の紙葉類引き抜き防止機構において、
前記ソレノイドは、前記搬送路の一方のガイド面を規定しているガイド板の裏面側の部位において、当該ガイド板と平行に配置されていることを特徴とする紙葉類識別機の紙葉類引き抜き防止機構。
【請求項３】
請求項２に記載の紙葉類引き抜き防止機構において、
前記シャッタは、前記ガイド板の裏面近傍に位置する回動支点を中心として、前記搬送路を封鎖した封鎖位置および当該搬送路を開放した開放位置の間を回動可能であることを特徴とする紙葉類識別機の紙葉類引き抜き防止機構。
【請求項４】
請求項３に記載の紙葉類引き抜き防止機構において、
前記ソレノイドは、前記搬送路の幅方向の中央において、当該搬送路の搬送方向を向く状態に配置されており、
前記シャッタは、前記搬送路の幅方向に延びる回動中心線回りに回動可能であることを特徴とする紙葉類識別機の紙葉類引き抜き防止機構。
【請求項５】
請求項４に記載の紙葉類引き抜き防止機構において、
前記シャッタは、一端が前記回動支点を中心として回動可能な腕部と、この腕部の先から直角に折れ曲がって延びているシャッタ本体部とを備えており、
当該シャッタが前記封鎖位置にある状態では、前記腕部が前記ガイド板の裏面に沿って延びており、前記シャッタ本体部が前記ガイド板に形成されている開口部を通って前記搬送路に突出して当該搬送路を封鎖していることを特徴とする紙葉類識別機の紙葉類引き抜き防止機構。
【請求項６】
請求項５に記載の紙葉類引き抜き防止機構において、
前記シャッタは、前記シャッタ本体部の先端から略直角に折れ曲がって延びている爪部を備えており、
当該シャッタが前記封鎖位置にある状態では、前記シャッタ本体部と前記爪部によって形成される入り隅部分に、前記搬送路の上流側から送り込まれる紙葉類の先端部が係合可能となっていることを特徴とする紙葉類識別機の紙葉類引き抜き防止機構。
【請求項７】
請求項５または６に記載の紙葉類の引き抜き防止機構において、
前記シャッタは、前記腕部の途中位置から前記シャッタ本体とは逆の方向に直角に突出している連結部を備えており、当該連結部が前記ソレノイドの前記作動ロッドの先端部に連結されていることを特徴とする紙葉類識別機の紙葉類引き抜き防止機構。
【請求項８】
請求項１ないし７のうちのいずれかの項に記載の紙葉類引き抜き防止機構を備えていることを特徴とする紙葉類識別機。
【発明の詳細な説明】
【技術分野】
【０００１】
本発明は、挿入された紙葉類が不正行為によって引き抜かれてしまうことを防止するための紙葉類識別機の紙葉類引き抜き防止機構に関する。さらに詳しくは、遊技台用台間機に組み込まれる紙幣識別機などのように、設置スペースの制約から小型・コンパクト化の要求が高い紙葉類識別機に用いるのに適した紙葉類引き抜き防止機構に関する。
【背景技術】
【０００２】
遊技店などにおける遊技台の間には、遊技台で用いるパチンコ玉などの遊技媒体を貸し出すための遊技台用台間機が配置されている。遊技台用台間機には紙幣識別機が搭載されており、挿入された紙幣を識別して遊技媒体の貸し出しを行うことが出来るようになっている。
【０００３】
紙幣識別機では、挿入されて真偽が判別された後に紙幣搬送路内に一時的に留まっている紙幣が、不正行為によって紙幣挿入口から引き抜かれるおそれがある。このような紙幣の引き抜きを防止するために、紙幣識別機には、紙幣挿入口から紙幣搬送路内の紙幣にアクセスできないように紙幣搬送路を遮断可能なシャッタを備えた紙幣引き抜き防止機構が組み込まれている。
【０００４】
ここで、一般的な自動販売機や両替機などに紙幣識別機を組み込む場合には、その設置スペースを十分に確保できることが多い。しかし、遊技店などにおける遊技台の間に配置される遊技台用台間機においては、多数台の遊技台を設置できるようにするために、その設置スペースが極めて制限されるので、そこに搭載される紙幣識別機の設置スペースも可能な限り小さくする必要がある。紙幣識別機の小型化を図るためには、そこに組み込まれている各機構の小型化を図る必要があり、紙幣引き抜き防止機構についても小型化が要求される。
【０００５】
本願出願人は、特許文献１において、紙幣引き抜き防止機構の小型・コンパクト化を図るための提案をしている。ここに開示の紙幣引き抜き防止機構では、紙幣搬送路を遮断するための揺動部材を、紙幣搬送路の幅方向に延びている直線移動部材を備えたリンク機構を介して、紙幣搬送路の側方に配置されているソレノイドに連結し、ソレノイドを励磁することにより、紙幣搬送路を遮断できるようにしてある。
【特許文献１】特開２００６−７９１５８号公報
【発明の開示】
【発明が解決しようとする課題】
【０００６】
本発明は、上記の特許文献１に開示されている紙幣引き抜き防止機構の改良に関するものであり、紙幣などの紙葉類の引き抜き防止機構の更なる小型・コンパクト化を達成することを課題としている。
【課題を解決するための手段】
【０００７】
上記の課題を解決するために、本発明は、紙葉類識別機の搬送路から紙葉類が引き抜かれることを防止するための紙葉類引き抜き防止機構において、前記搬送路を遮断するためのシャッタと、このシャッタを駆動するためのソレノイドとを有し、前記シャッタは、前記ソレノイドの作動ロッドに直結されていることを特徴としている。
【０００８】
シャッタをソレノイドに直結することにより、これらの間の動力伝達経路を構成するためのリンク機構などの構成部品が不要となり、その分、紙葉類引き抜き防止機構の小型・コンパクト化を達成でき、製造コストも下げることができる。
【０００９】
シャッタとソレノイドを直結させるためには、前記ソレノイドを、前記搬送路の一方のガイド面を規定しているガイド板の裏面側の部位に配置すればよい。ガイド板には、紙葉類が挿入されたことを検出するための入口センサ、挿入された紙葉類の真偽などを判別するためのセンサなどが取り付けられているが、これらの間のデッドスペースを利用することにより、ソレノイドの設置スペースを紙葉類識別機に追加する必要がない。特に、ガイド面の裏面において、当該ガイド面と平行にソレノイドを配置すれば、ガイド板の裏面側に設置スペースを追加することなく、センサなどの設置部品の間のデッドスペースを有効利用できる。
【００１０】
本発明において、前記シャッタを、前記ガイド板の裏面近傍に位置する回動支点を中心として、前記搬送路を封鎖した封鎖位置および当該搬送路を開放した開放位置の間を回動可能としておくことが望ましい。シャッタの回動支点をガイド板の裏面近傍にすると、すなわち、シャッタの回動支点から搬送路までの距離を可能な限り小さくしておくと、不正行為によって封鎖位置にあるシャッタに外力が作用した場合に、当該外力によって発生する回動支点を中心とする曲げモーメントを小さくできる。このため、ソレノイドの励磁力あるいは内蔵のばね力によって封鎖位置に保持されているシャッタが不正行為によって開放位置に移動してしまうことを防止するのに効果的である。
【００１１】
この場合には、前記ソレノイドを、前記搬送路の幅方向の中央において、当該搬送路の搬送方向を向く状態に配置し、前記シャッタを、前記搬送路の幅方向に延びる回動中心線回りに回動可能とすることができる。
【００１２】
ここで、前記シャッタを、一端が前記回動支点を中心として回動可能な腕部と、この腕部の先から直角に折れ曲がって延びているシャッタ本体部とを備えたＬ形のものとし、当該シャッタが前記封鎖位置にある状態では、前記腕部が前記ガイド板の裏面に沿って延び、前記シャッタ本体部が前記ガイド板に形成されている開口部を通って前記搬送路に突出して当該搬送路を封鎖できるようにすればよい。
【００１３】
この場合、前記シャッタ本体部の先端から略直角に折れ曲がって延びる爪部を形成し、前記シャッタが前記封鎖位置にある状態では、前記シャッタ本体部と前記爪部によって形成される入り隅部分に、前記搬送路の上流側から送り込まれる紙葉類の先端部が係合可能となるようにすることが望ましい。
【００１４】
このような爪部を形成しておけば、シャッタにより搬送路を封鎖している状態において、搬送路の上流側からカードなどの異物が挿入された場合には、当該異物の先端部がシャッタのシャッタ本体部と爪部の入り隅部分に入り込む。この結果、挿入された異物の先端部の側面部分に爪部が係合状態になり、回動支点を中心としたシャッタの回動が阻止される。したがって、外部から異物を挿入してシャッタを開けようとする不正行為を確実に阻止できる。
【００１５】
また、Ｌ形のシャッタを用いる場合には、その腕部の途中位置から前記シャッタ本体とは逆の方向に直角に突出している連結部を形成し、当該連結部を前記ソレノイドの前記作動ロッドの先端部に連結しておけばよい。
【発明の効果】
【００１６】
本発明の紙葉類識別機の紙葉類引き抜き防止機構では、シャッタをソレノイドに直結させて駆動しているので、ソレノイドの駆動力を離れた位置にあるシャッタに伝達するためのリンク機構が不要となる。よって、その分、小型・コンパクト化を図ることができ、製造コストも下げることができる。
【００１７】
また、本発明では、ソレノイドを、搬送路を規定しているガイド板の裏面側に配置してある。よって、搬送路の側方にソレノイドの設置スペースを別途確保する必要がないので、紙葉類引き抜き防止機構の更なる小型・コンパクト化を達成できる。
【００１８】
さらに、本発明では、搬送路になるべく近い位置にシャッタの回動支点を配置してある。よって、不正行為によってシャッタに外力が作用した場合に、回動支点回りの大きなトルクがシャッタに作用することがないので、シャッタを開けようとする不正行為に対して有効である。
【００１９】
さらには、本発明では、シャッタに爪部を形成し、搬送路を封鎖している状態において異物が挿入された場合には、当該異物に爪部が係合してシャッタを開けることができなくなるようにしてある。したがって、外部からカードなどを挿入してシャッタを開けようとする不正行為を確実に防止できる。
【発明を実施するための最良の形態】
【００２０】
以下に、図面を参照して、本発明を適用した紙幣識別機の実施の形態を説明する。
【００２１】
(全体構成)
図１は本発明を適用した紙幣識別機を示す平面図であり、図２は開閉ユニットを開けた状態の紙幣識別機の斜視図である。
【００２２】
紙幣識別機１は、本体ユニット２と、この本体ユニット２の表面に形成された装置前後方向に延びている凹部３に収納されている開閉ユニット４と、本体ユニット２の紙幣挿入口側の前端部に取り付けられている挿入口蓋ユニット５とを有している。開閉ユニット４は、その後端部両側に形成した支軸６ａ、６ｂを中心として、凹部３に収納された閉じ位置から所定の角度の範囲で開閉可能である。また、開閉ユニット４の前端部の両側に形成した係合レバー７ａ、７ｂが、本体ユニット２に形成された係合溝７ｃ、７ｄに差し込まれており、これにより開閉ユニット４が閉じ位置にロックされている。左右の係合レバー７ａ、７ｂを内方に引き込むことにより、係合レバー７ａ、７ｂが係合溝７ｃ、７ｄから外れて開閉ユニット４を開けることが可能になる。
【００２３】
図３は紙幣識別機１の内部構成を示すための説明図であり、図４は開閉ユニット４および挿入口蓋ユニット５を取り外した状態の本体ユニット２の平面図である。これらの図も参照して、紙幣識別機１の内部構成を説明する。
【００２４】
紙幣識別機１の本体ユニット２の前面には紙幣挿入口８が形成されており、この紙幣挿入口８は、本体ユニット２の前端部と挿入口蓋ユニット５との間に形成されている紙幣挿入路９を介して、本体ユニット２と開閉ユニット４の間に形成されている紙幣搬送路１０に通じている。紙幣搬送路１０の後端は紙幣排出口１０ａとなっており、ここから排出された紙幣は不図示の紙幣収納部に収納される。
【００２５】
紙幣挿入路９に続く紙幣搬送路１０の上流側の部位には、本体ユニット２の側に、紙幣の挿入を検出するために左右一対の入口センサ９ａ、９ｂが配置されている。入口センサ９ａ、９ｂとしては、ホトカプラ、メカニカルスイッチを備えたものを用いることができる。これらの入口センサ９ａ、９ｂの下流側には、ソレノイド式の紙幣引き抜き防止機構４０が本体ユニット２の側に組み込まれており、この紙幣引き抜き防止機構４０は、紙幣搬送路１０に出没して当該紙幣搬送路１０を封鎖状態および開放状態に切り換えるシャッタ片４６ａ〜４６ｄを備えている。紙幣引き抜き防止機構４０の詳細については後述する。
【００２６】
シャッタ片４６ａ〜４６ｄの下流側の紙幣搬送路１０の部位には、当該紙幣搬送路１０を搬送される紙幣の光学的特徴である光透過パターンを検出するための４組の透過型ホトセンサが幅方向に配置されている。これらの透過型ホトセンサの発光素子１１ａ〜１４ａは開閉ユニット４に搭載され、受光素子１１ｂ〜１４ｂは本体ユニット２に搭載されている。これらの設置位置よりも下流側の紙幣搬送路１０の部分には紙幣の磁気特性を検出するための磁気ヘッド１５が配置されている。磁気ヘッド１５は本体ユニット２に搭載されており、この磁気ヘッド１５の検出面に紙幣を押し付けるための押圧ローラ１６が開閉ユニット４に搭載されている。
【００２７】
紙幣排出口１０ａの近傍における本体ユニット２の側には、排出される紙幣を検出するために左右一対の出口センサ１７ａ、１７ｂが配置されている。これら出口センサとしては、ホトカプラ、メカニカルスイッチを備えたものを用いることができる。
【００２８】
紙幣を紙幣搬送路１０に沿って搬送するための搬送機構はベルト・プーリ式のものであり、左右一対の駆動側プーリ２１ａ、２１ｂと、左右三対の従動側プーリ２２ａ、２２ｂ、２３ａ、２３ｂ、２４ａ、２４ｂと、これら駆動側プーリ２１ａおよび従動側プーリ２２ａ〜２４ａの間、および駆動側プーリ２１ｂおよび従動側プーリ２２ｂ〜２４ｂの間にそれぞれ張架した左右一対の搬送ベルト２５ａ、２５ｂとを備えている。これらの各部は、本体ユニット２の側に搭載されており、駆動側プーリ２１ａ、２１ｂは紙幣搬送路１０の下流端側に配置され、従動側プーリ２２ａ、２２ｂ、２３ａ、２３ｂは、駆動側プーリ２１ａ、２１ｂと磁気ヘッド１５の間に配置されており、従動側プーリ２４ａ、２４ｂは、発光素子１１ａ〜１４ａよりも紙幣挿入口８の側に配置されている。
【００２９】
また、搬送機構は、開閉ユニット４の側に搭載されている４組の左右一対の押圧ローラ３１ａ、３１ｂ、３２ａ、３２ｂ、３３ａ、３３ｂおよび３４ａ、３４ｂを備えている。これらは、上下方向にスライド可能、かつ、回転自在の状態で開閉ユニット４に搭載されており、それぞれ、搬送ベルト２５ａ、２５ｂの上から、駆動側プーリ２１ａ、２１ｂ、従動側プーリ２２ａ、２２ｂ、２３ａ、２３ｂおよび２４ａ、２４ｂにばね力によって押圧されている。
【００３０】
さらに、搬送機構は、図４に示すように、本体ユニット２における凹部３の側方の部位に内蔵されている搬送用モータ２６を備えている。この搬送用モータ２６の回転力が、不図示の減速歯車列および駆動軸２８を介して、駆動側プーリ２１ａ、２１ｂに伝達されるようになっている。
【００３１】
(紙幣引き抜き防止機構)
図５は紙幣引き抜き防止機構４０を示す説明図であり、(ａ)は紙幣搬送路１０を封鎖している状態を示し、(ｂ)は紙幣搬送路１０を開放している状態を示してあり、(ｃ)はシャッタ片に外力が作用した場合を示してある。図４および図５を参照して紙幣引き抜き防止機構４０を説明する。
【００３２】
紙幣引き抜き防止機構４０は、ソレノイド４１と、このソレノイド４１によって回動するシャッタ４２を有している。ソレノイド４１は、本体ユニット２における紙幣搬送路１０の一方のガイド面１０ｂを規定している本体側ガイド板部分４３の裏面側に配置されている。図４に点線で示すように、ソレノイド４１は、本体側ガイド板部分４３の裏面側における紙幣搬送路１０の幅方向の中央において、搬送路下流側に向いた姿勢で取り付けられている。さらに詳細には、本体ユニット２の本体側ガイド板部分４３の裏面側において、左右の従動側プーリ２４ａ、２４ｂの間から左右の入口センサ９ａ、９ｂの間のスペースを利用して配置されている。
【００３３】
シャッタ４２は、本体側ガイド板部分４３の裏面に取り付けた回動支点４４を中心として、紙幣搬送路１０の幅方向に延びる回動中心線回りに回動可能である。このシャッタ４２は、回動支点４４に一端が回動可能に支持されている腕部４５を備えている。この腕部４５は搬送方向の下流側に向かって延びており、その先端には紙幣搬送路１０の幅方向に延びる直交腕部４６が形成されており、この直交腕部４６には紙幣搬送路１０の側に直角に立ち上がって延びている４枚のシャッタ片４６ａ〜４６ｄが形成されている。これらのシャッタ片４６ａ〜４６ｄは、図４から分かるように、紙幣搬送路１０の幅方向に沿って所定の間隔で配列されており、本体側ガイド板部分４３に形成された４個の開口部４３ａ〜４３ｄを通って紙幣搬送路１０に出没可能である。シャッタ片４６ａ、４６ｂの間に従動側プーリ２４ａが位置し、シャッタ片４６ｃ、４６ｄの間に従動側プーリ２４ｂが位置している。なお、本例では、本体側ガイド板部分４３の開口部４３ａ〜４３ｄに対峙している開閉側ガイド板部分４７にも開口部４７ａ〜４７ｄが形成されている。
【００３４】
次に、シャッタ４２の腕部４５の途中位置からは、紙幣搬送路１０とは反対側に向けて直角に延びる連結腕４８が形成されている。この連結腕４８には、当該連結腕４８の長さ方向に長い長孔４８ａが形成されており、ここに、ソレノイド４１の作動ロッド４９の先端部がスライド可能な状態で貫通している。作動ロッド４９の先端には、長孔４８ａから抜け出ないように大径の抜け止め４９ａが形成されている。
【００３５】
(紙幣引き抜き防止機構の動作)
ソレノイド４１は通常は図５(ａ)に示す消磁状態にある。この状態では、内蔵ばねのばね力によって作動ロッド４９が突出位置にあり、シャッタ４２は紙幣搬送路１０を封鎖した封鎖位置４２Ａにある。すなわち、シャッタ４２の腕部４５は本体側ガイド板部分４３の裏面に平行に延びており、シャッタ片４６ａ〜４６ｄが開口部４３ａ〜４３ｄを通って紙幣搬送路１０に突出し、シャッタ片４６ａ〜４６ｄの各先端は反対側の開閉側ガイド板部分４７の開口部４７ａ〜４７ｄまで達している。
【００３６】
この状態において、紙幣が紙幣挿入口８から挿入されると、当該紙幣の先によって入口センサ９ａ、９ｂの検出片が押される。これにより紙幣識別機１は紙幣が挿入されたことを検知する。紙幣が挿入されたことが検知されると、搬送機構の駆動が開始されると共に、ソレノイド４１が励磁され、その作動ロッド４９がばね力に抗して引き込み位置まで引き込まれる。この結果、図５(ｂ)に示すように、シャッタ４２が回動支点４４を中心として本体側ガイド板部分４３の裏面側に回動し、シャッタ片４６ａ〜４６ｄが紙幣搬送路１０から開口部４３ａ〜４３ｄに引き込まれた開放位置４２Ｂに至り、紙幣搬送路１０が開放状態に切り換わる。
【００３７】
この後は、紙幣挿入口８から挿入された紙幣を搬送ベルト２５ａ、２５ｂの位置まで挿入することができる。この位置まで挿入された紙幣は搬送ベルト２５ａ、２５ｂによって紙幣搬送路１０に沿って下流側に送り込まれる。紙幣搬送路１０に沿って搬送される紙幣は、その光透過パターンが４組の透過型ホトセンサ１１〜１４によって読み取られ、その磁気パターンが磁気ヘッド１５によって読み取られる。読み取られた紙幣情報に基づき紙幣の種類および真偽の識別が行われる。受け入れ可能な紙幣であると識別された場合には、紙幣搬送路１０の下流端の紙幣排出口１０ａから不図示の紙幣収納部に紙幣が送り込まれる。受け入れ不可の紙幣、あるいは偽札であると識別された場合には、そのような紙幣は逆送りして、紙幣挿入口８から返却される。
【００３８】
ここで、紙幣搬送路１０を搬送される紙幣の後端がシャッタ片４６ａ〜４６ｄの位置を通過した後においては、ソレノイド４１が消磁状態に戻る。この結果、シャッタ４２は再び図５(ａ)に示す封鎖位置４２Ａに戻る。したがって、紙幣搬送路１０内に留まっている紙幣を、紙幣挿入口８の側から引き出すことが不可能になり、このような不正行為が防止される。
【００３９】
なお、紙幣が紙幣搬送路１０に詰まった場合、紙幣搬送機構の保守点検作業を行う場合などにおいては開閉ユニット４を開けて、紙幣搬送路１０を開放状態にする。すなわち、本体ユニット２の側の左右一対の搬送ベルト２５ａ、２５ｂの上から駆動側プーリ２１ａ、２１ｂおよび従動側プーリ２２ａ〜２４ａ、２２ｂ〜２４ｂに押圧されている押圧ローラ３１ａ、３１ｂ、３２ａ〜３４ａ、３２ｂ〜３４ｂが搬送ベルト２５ａ、２５ｂから離れ、図３に示すように、これらの間に規定される紙幣搬送路１０が開放状態になる。
【００４０】
以上説明したように、本実施の形態に係る紙幣識別機１の紙幣引き抜き防止機構では、シャッタ４２をソレノイド４１に直結させて駆動しているので、ソレノイド４１の駆動力を離れた位置にあるシャッタ４２に伝達するために従来において必要とされたリンク機構が不要となる。よって、その分、小型・コンパクト化を図ることができ、製造コストも下げることができる。
【００４１】
また、ソレノイド４１を紙幣搬送路１０を規定している本体側ガイド板部分４３の裏面側に配置してある。よって、紙幣搬送路１０の側方にソレノイド４１の設置スペースを別途確保する必要がないので、紙葉類引き抜き防止機構の更なる小型・コンパクト化を達成でき、紙幣識別機１の小型化に有利である。
【００４２】
さらには、紙幣搬送路１０になるべく近い位置にシャッタ４２の回動支点４４を配置してある。よって、図５(ｃ)に示すように、紙幣挿入口８の側からシャッタ片４６ａ〜４６ｄを押したとしても、そのような外力Ｆよって発生する回動支点４４回りのトルクＭは小さい。このため、ソレノイド４１のばね力によって確実にシャッタ４２を封鎖位置４２Ａに保持することができ、シャッタ４２を開けようとする不正行為を防止できる。
【００４３】
(シャッタの別の例)
次に、図６(ａ)および(ｂ)は、紙幣引き抜き防止機構４０のシャッタ４２の別の例を示す部分断面図および動作説明図である。図示のシャッタ１４２は、基本的にはシャッタ４２と同様な形状をしており、また、本体側ガイド板部分４３の裏面に取り付けた回動支点１４４を中心として、紙幣搬送路１０の幅方向に延びる回動中心線回りに回動可能である。
【００４４】
シャッタ１４２は、回動支点１４４に一端が回動可能に支持されている腕部１４５を備えている。この腕部１４５は搬送方向の下流側に向かって延びており、その先端には紙幣搬送路１０の幅方向に延びる直交腕部１４６が形成されており、この直交腕部１４６には紙幣搬送路１０の側に直角に立ち上がって延びている４枚のシャッタ片１４６ａ〜１４６ｄが形成されている。これらのシャッタ片１４６ａ〜１４６ｄは紙幣搬送路１０の幅方向に沿って所定の間隔で配列されており、本体側ガイド板部分４３に形成された４個の開口部４３ａ〜４３ｄを通って紙幣搬送路１０に出没可能である。
【００４５】
ここで、本例のシャッタ片１４６ａ〜１４６ｄの先端には、腕部１４５と同一側(紙幣搬送路１０の上流側)に向けて直角に突出している爪部１４７ａ〜１４７ｄが形成されている。また、シャッタ１４２が図に示す閉鎖状態においては、爪部１４７ａ〜１４７ｄは開閉側ガイド板部分４７の開口部４７ａ〜４７ｄに入り込むようになっている。この結果、シャッタ１４２が閉鎖状態において、紙幣搬送路１０の上流側からカードなどの異物１４８が挿入された場合には、当該異物１４８の先端部１４８ａが、シャッタ片１４６ａ〜１４６ｄと爪部１４９ａ〜１４９ｄの間に形成されている直角な入り隅部分１４８ａ〜１４８ｄに入り込む。
【００４６】
異物１４８の先端部１４８ａと入り隅部分１４８ａ〜１４８ｄの係合状態は、異物１４８の押し付け力(外部からの荷重)Ｆが強い程強固になる。かかる係合状態が形成されると、回動支点１４４を中心としてシャッタ１４２を開ける方向に回動できなくなる。すなわち、紙幣搬送路１０を開けることができなくなる。したがって、シャッタ１４２が閉じている状態において、外部から紙幣挿入口８を介してカードなどの異物１４８を挿入してシャッタ１４２を押し倒そうとする不正行為を確実に防止できる。
【００４７】
なお、図示を省略してあるが、シャッタ１４２の腕部１４５の途中位置からは、紙幣搬送路１０とは反対側に向けて直角に延びる連結腕が形成されており、この連結腕がソレノイド４１の作動ロッド４９の先端部に連結されている。この構成はシャッタ４２の場合と同様である。
【００４８】
(その他の実施の形態)
上記の例は本発明を紙幣識別機に適用したものであるが、本発明は、チケット、クーポン券などの紙幣以外の紙葉類を識別するための紙葉類識別機における紙葉類引き抜き防止機構に適用可能である。
【図面の簡単な説明】
【００４９】
【図１】本発明を適用した紙幣識別機の平面図である。
【図２】開閉ユニットを開いた状態の紙幣識別機の斜視図である。
【図３】紙幣識別機の内部構成を示す説明図である。
【図４】紙幣識別機の本体ユニットの平面図である。
【図５】紙幣引き抜き防止機構を示す説明図であり、(ａ)は紙幣搬送路を封鎖している状態を示し、(ｂ)は紙幣搬送路を開放している状態を示し、(ｃ)はシャッタに外力が作用した場合の説明図である。
【図６】(ａ)および(ｂ)は、紙幣引き抜き防止機構のシャッタの別の例を示す部分断面図および動作説明図である。
【符号の説明】
【００５０】
１  紙幣識別機
２  本体ユニット
３  凹部
４  開閉ユニット
５  挿入口蓋ユニット
６ａ、６ｂ  支軸
７ａ、７ｂ  係合レバー
７ｃ、７ｄ  係合溝
８  紙幣挿入口
９  紙幣挿入路
９ａ、９ｂ  入口センサ
１０  紙幣搬送路
１０ａ  紙幣排出口
１１〜１４  透過型ホトセンサ
１１ａ〜１４ａ  発光素子
１１ｂ〜１４ｂ  受光素子
１５  磁気ヘッド
１６  押圧ローラ
１７ａ、１７ｂ  出口センサ
２１ａ、２１ｂ  駆動側プーリ
２２ａ〜２４ａ、２２ｂ〜２４ｂ  従動側プーリ
２５ａ、２５ｂ  搬送ベルト
２６  搬送用モータ
２８  駆動軸
３１ａ〜３４ａ、３１ｂ〜３４ｂ  押圧ローラ
４０  紙幣引き抜き防止機構
４１  ソレノイド
４２、１４２  シャッタ
４３  本体側ガイド板部分
４３ａ〜４３ｄ  開口部
４４、１４４  回動支点
４５、１４５  腕部
４６、１４６  直交腕部
４６ａ〜４６ｄ、１４６ａ〜１４６ｄ  シャッタ片
４７  開閉側ガイド板部分
４７ａ〜４７ｄ  開口部
４８  連結腕
４８ａ  長孔
４９  作動ロッド
４９ａ  抜け止め
１４７ａ〜１４７ｄ  爪部
１４８  異物
１４８ａ  先端部
１４９ａ〜１４９ｄ  入り隅部分
【図１】
2009042958.tif 000003
【図２】
2009042958.tif 000004
【図３】
2009042958.tif 000005
【図４】
2009042958.tif 000006
【図５】
2009042958.tif 000007
【図６】
2009042958.tif 000008